(57)【要約】【課題】周波数の異なる複数のクロック信号を切り替え、選択されたクロック信号に基づいて動作する回路を備えた電気機器を提供する。【解決手段】マイコン１０は、ＢＤドライブ１１の発振子１１ａにて発生されてロジック回路１２から出力されるクロック信号をＤＳＰ１６へ送出するようにセレクタ１５を制御する場合、発振子１４ａにて発生されたクロック信号を出力しないように出力部１４ｂを制御する。また、マイコン１０は、発振子１４ａにて発生されて出力部１４ｂから出力されるクロック信号をＤＳＰ１６へ送出するようにセレクタ１５を制御する場合、ＢＤドライブ１１の発振子１１ａにて発生されたクロック信号を出力しないようにロジック回路１２を制御する。【選択図】図１
2009055472.tif 000002
【特許請求の範囲】
【請求項１】
周波数の異なる複数のクロック信号を切り替え、選択されたクロック信号に基づいて動作する回路を備えた電気機器において、
一のクロック信号を発生させる一のクロック発生回路と、
該一のクロック発生回路が発生させたクロック信号を出力する一の出力部と、
他のクロック信号を発生させる他のクロック発生回路と、
該他のクロック発生回路が発生させたクロック信号を出力する他の出力部と、
前記一の出力部から出力されたクロック信号及び前記他の出力部から出力されたクロック信号の一方を選択して出力する切替部と、
該切替部が前記一の出力部から出力されたクロック信号を選択する場合、前記他の出力部からのクロック信号の出力を停止させるように制御する制御部と
を備えることを特徴とする電気機器。
【請求項２】
前記制御部は、前記切替部が前記他の出力部から出力されたクロック信号を選択する場合、前記一の出力部からのクロック信号の出力を停止させるように制御することを特徴とする請求項１に記載の電気機器。
【請求項３】
前記一のクロック発生回路及び前記一の出力部は、前記他のクロック発生回路及び前記他の出力部から所定距離以上離れた位置に設けられていることを特徴とする請求項１又は２に記載の電気機器。
【発明の詳細な説明】
【技術分野】
【０００１】
本発明は、周波数の異なる複数のクロック信号を切り替え、選択されたクロック信号に基づいて動作を行なう電気機器に関する。
【背景技術】
【０００２】
電気機器は、各種の処理を行なうハードウェア各部、ハードウェア各部が動作する際のクロック信号を発生させるクロック発生回路等を備える。ハードウェア各部は、クロック発生回路が内蔵されているものもあり、この場合、クロック発生回路によって発生されたクロック信号だけでなく、自身の内部クロック発生回路によって発生されたクロック信号に従って動作を行なう。このような構成の電気機器では、複数のクロック発生回路によってそれぞれ異なる周波数のクロック信号が発生されており、それぞれのクロック信号に基づく高調波ノイズによってビートが発生する場合がある。
【０００３】
そこで、特許文献１では、異なる周波数のクロック信号を切り替えて使用できるように構成され、局部発振回路によって発生されるクロック信号の周波数に応じて適切な周波数のクロック信号を選択して使用する受信機が開示されている。特許文献１では、局部発振回路によって発生されるクロック信号に対してビートを発生させない周波数のクロック信号を適切に選択することにより、ビートの発生を確実に防止することができる。
【０００４】
また、特許文献２では、異なる周波数のクロック信号を切り替えて使用できるように構成され、外部から受信する信号の周波数に応じて適切な周波数のクロック信号を選択できる受信装置が開示されている。特許文献２では、外部から受信する信号に対してビートを発生させない周波数のクロック信号を適切に選択することにより、外部から受信する信号に悪影響を及ぼさず、受信感度を向上させることができる。
【特許文献１】特開平１１−２７１６１号公報
【特許文献２】特開２００４−３２６４９号公報
【発明の開示】
【発明が解決しようとする課題】
【０００５】
しかし、特許文献１，２に開示された構成では、局部発振回路によって発生されるクロック信号の周波数又は外部から受信する信号の周波数に応じた周波数のクロック信号を発生させるためのクロック発生回路を複数設けておく必要があり、回路規模が増大するという問題を有する。また、複数のクロック発生回路を設けた場合、クロック発生回路のそれぞれに対して不要輻射の対策を施す必要があり、回路規模が更に増大すると共にコストも増大するという問題を有する。
【０００６】
本発明は、斯かる事情に鑑みてなされたものであり、その目的とするところは、回路規模を増大させることなく、異なる周波数のクロック信号に基づくビートの発生を確実に防止し、自身が扱う各種の信号に悪影響を及ぼさない電気機器を提供することにある。
【課題を解決するための手段】
【０００７】
本発明に係る電気機器は、一のクロック発生回路が発生させたクロック信号を出力する一の出力部からのクロック信号と、他のクロック発生回路が発生させたクロック信号を出力する他の出力部からのクロック信号とを選択して一方を用いる構成であり、一の出力部から出力されたクロック信号が選択される場合、他の出力部からクロック信号を出力させないように制御し、他の出力部から出力されたクロック信号が選択される場合、一の出力部からクロック信号を出力させないように制御する。よって、複数種類の周波数のクロック信号に基づいて発生するビートを低減することが可能となる。
【発明の効果】
【０００８】
本発明では、一の出力部からのクロック信号と、他の出力部からのクロック信号とを選択して一方を用いる構成の電気機器が、一方の出力部からのクロック信号を使用している場合に、他方の出力部からクロック信号を出力させないことにより、複数のクロック信号に基づくビートの発生を確実に防止することができる。従って、電気機器が扱う各種の信号に悪影響を及ぼさず、正常に動作させることができる。
【０００９】
また、特許文献１，２のように複数のクロック発生回路を設けておく必要がなく、複数のクロック発生回路に対する不要輻射の対策のための回路も設ける必要がないので、回路規模の増大を防止できると共にコストを削減することができる。更に、不要なクロック信号をそれぞれの出力部から出力させないので、各クロック信号に対する不要輻射の対策が容易となる。従って、クロック信号の周波数が高くなるほど不要輻射の対策が困難となるので、使用する各クロック信号の周波数が高いほどより効果的である。
【発明を実施するための最良の形態】
【００１０】
以下に、本発明に係る電気機器をＢＤ（Blu-ray Disc）シアターシステムに適用した実施形態を示す図面に基づいて詳述する。図１は本実施形態に係るＢＤシアターシステムの構成例を示すブロック図である。なお、図１中に実線で示した矢符は音声信号の流れを、破線で示した矢符はクロック信号の流れを、一点破線で示した矢符は制御信号の流れをそれぞれ示している。また、図１には音声信号に対する処理回路のみを図示したが、画像信号に対しても同様の構成によりビートノイズの発生を防止することができる。
【００１１】
本実施形態のＢＤシアターシステム１にはケーブル（図示せず）を介してスピーカ３が接続されており、ＢＤシアターシステム１によって各種の処理を実行して得られたアナログの音声信号がスピーカ３へ出力される。ＢＤシアターシステム１は、演算を行なうマイコン（マイクロコンピュータ）１０、ＢＤドライブ１１、ロジック回路１２、ＣＯＤＥＣ（COder-DECoder ）１３、ＤＳＰ（Digital Signal Processor）１６、ＤＡＣ（Digital Analog Converter）１７、音量調整部１８、アンプ１９等を主要構成要素として備えている。
【００１２】
マイコン１０は、演算を行うＣＰＵ、ＣＰＵの制御手順を示す制御プログラム等を記憶したＲＯＭ及びＣＰＵが行なう演算に伴う一時的な情報を記憶するＲＡＭ等により構成されており、ＢＤシアターシステム１の制御中枢として動作し、相互に接続されている上述したようなハードウェア各部の動作を制御する。なお、図１では、マイコン１０はロジック回路１２と、ＣＯＤＥＣ１３に内蔵されている出力部１４ｂ及びセレクタ１５とにのみ接続され、ロジック回路１２、出力部１４ｂ及びセレクタ１５に対してのみ制御信号を出力する構成を示しているが、マイコン１０はその他のハードウェア各部とも接続されており、上述したハードウェア各部は、マイコン１０からの指示に従ってそれぞれ動作する。
【００１３】
ＢＤドライブ１１には、所定の周波数のクロック信号（他のクロック信号）を発生させる発振子（他のクロック発生回路）１１ａが内蔵されており、発振子１１ａによって発生されたクロック信号はロジック回路１２へ送出される。ＢＤドライブ１１は、発振子１１ａによって発生されたクロック信号に基づいて、所定の載置トレイ上に挿入されたＢＤに対してデータの記録処理及び再生処理を行ない、ＢＤから再生されたデジタルの音声信号はＣＯＤＥＣ１３へ送出される。なお、ＢＤドライブ１１は、発振子１１ａによって発生されたクロック信号に基づいて動作を行なう構成のほかに、外部のクロック発生回路（図示せず）から入力されたクロック信号に基づいて動作を行なう構成でもよい。
【００１４】
ロジック回路１２は、汎用ロジックＩＣ（Integrated Circuit）であるスリーステートコントロールバッファＩＣであり、このスリーステートコントロールバッファＩＣを用いる場合、ＯＥ（Ｂ）端子にマイコン１０からの制御信号０，１が入力される。ロジック回路１２は、マイコン１０から制御信号０が入力された場合、ＢＤドライブ１１の発振子１１ａから入力されたクロック信号をそのままセレクタ１５へ出力する他の出力部として動作し、マイコン１０から制御信号１が入力された場合、ＢＤドライブ１１の発振子１１ａから入力されたクロック信号のセレクタ１５への出力を停止する。従って、ロジック回路１２は、ＢＤドライブ１１の発振子１１ａから入力されてくるクロック信号をセレクタ１５へ送出するか否かを切り替えるデジタルスイッチとして機能する。
【００１５】
ＣＯＤＥＣ１３には、内部発振回路１４及びセレクタ１５が内蔵されている。なお、ＣＯＤＥＣ１３は、ＡＤＣ（Analog Digital Converter）及びＤＡＣ（図示せず）等を備えており、入力されてきた音声信号に対して必要に応じてＡＤ変換処理又はＤＡ変換処理を行ない、得られたデジタル信号又はアナログ信号を出力する。
【００１６】
また、ＣＯＤＥＣ１３には、ＢＤシアターシステム１の外部の外部入力信号源２から送出されてくるデジタルの音声信号が入力されており、ＢＤドライブ１１から入力されたデジタルの音声信号又は外部入力信号源２から入力されたデジタルの音声信号に対して所定の処理を実行した後、ＤＳＰ１６へ送出する。なお、外部入力信号源２としては、例えば、テレビジョン装置の音声出力端子があり、ＢＤシアターシステム１の音声入力端子（図示せず）とテレビジョン装置の音声出力端子とを、例えばケーブル（図示せず）を介して接続することにより、テレビジョン装置から出力されたデジタルの音声信号がＢＤシアターシステム１の音声入力端子を介してＣＯＤＥＣ１３へ入力される。
【００１７】
ＣＯＤＥＣ１３の内部発振回路１４は、所定の周波数のクロック信号（一のクロック信号）を発生させる発振子（一のクロック発生回路）１４ａと、発振子１４ａによって発生されたクロック信号をセレクタ１５へ送出する出力部（一の出力部）１４ｂとにより構成されている。なお、出力部１４ｂは、ロジック回路１２と同様の構成を有しており、マイコン１０からの制御信号に従って、発振子１４ａによって発生されて送出されてきたクロック信号をセレクタ１５へ送出するか否かを切り替えるデジタルスイッチとして機能する。
【００１８】
ＣＯＤＥＣ１３のセレクタ（切替部）１５は、ロジック回路１２及びＤＳＰ１６の接続と、内部発振回路１４の出力部１４ｂ及びＤＳＰ１６の接続とを切り替え、ロジック回路１２から入力されたクロック信号及び内部発振回路１４の出力部１４ｂから入力されたクロック信号の一方を選択してＤＳＰ１６へ送出する。
【００１９】
なお、セレクタ１５は、上述したクロック信号の選択処理を、操作部（図示せず）を介してＢＤシアターシステム１のユーザがＢＤから再生されたデジタルの音声信号の再生の実行を指示しているか、テレビジョン装置から送出されたデジタルの音声信号の再生の実行を指示しているかに応じたマイコン（制御部）１０からの制御信号に従って行なっている。
【００２０】
具体的には、操作部を介してＢＤから再生されたデジタルの音声信号の再生の実行が指示されている場合、マイコン１０は、セレクタ１５にロジック回路１２から送出されてきたクロック信号をＤＳＰ１６へ送出させると共に、発振子１４ａで発生されたクロック信号の出力部１４ｂからの送出を停止するように内部発振回路１４の出力部１４ｂを制御する。また、操作部を介してテレビジョン装置から送出されたデジタルの音声信号の再生の実行が指示されている場合、マイコン１０は、セレクタ１５に内部発振回路１４の出力部１４ｂから送出されてきたクロック信号をＤＳＰ１６へ送出させると共に、ＢＤドライブ１１の発振子１１ａで発生されたクロック信号のロジック回路１２からの送出を停止するようにロジック回路１２を制御する。
【００２１】
ＤＳＰ１６は、ＣＯＤＥＣ１３のセレクタ１５から送出されてきたクロック信号に従って、ＣＯＤＥＣ１３から送出されてきたデジタルの音声信号に対して所定の信号処理を実行し、ＤＡＣ１７へ送出する。なお、ＤＳＰ１６は、ＣＯＤＥＣ１３から送出されてきたクロック信号をそのままＤＡＣ１７へ送出する。
【００２２】
ＤＡＣ１７は、ＤＳＰ１６から送出されてきたクロック信号に従って、ＤＳＰ１６から送出されてきたデジタルの音声信号に対してＤＡ変換処理を行なってアナログの音声信号に変換し、音量調整部１８へ送出する。音量調整部１８は、操作部を介してユーザが設定した音量に基づいて、ＤＡＣ１７から送出されてきた音声信号の音量を調整し、アンプ１９へ送出する。アンプ１９は、音量調整部１８から送出されてきたクロック信号に対して所定の増幅処理等の各種処理を実行した後、ケーブルを介してスピーカ３へ出力する。
【００２３】
上述したように、本実施形態のＢＤシアターシステム１では、セレクタ１５がロジック回路１２からのクロック信号をＤＳＰ１６へ送出する場合、発振子１４ａによって発生されたクロック信号が出力部１４ｂから出力されず、セレクタ１５が内部発振回路１４からのクロック信号をＤＳＰ１６へ送出する場合、発振子１１ａによって発生されたクロック信号がロジック回路１２から出力されない。これにより、２つのクロック信号が近接することによるビートの発生を確実に防止することができるので、ＢＤシアターシステム１が扱う各種の信号に悪影響を及ぼさない。具体的には、ＢＤシアターシステム１によって各種の処理が実行された音声信号にビートノイズが発生しないので、アンプ１９を介してスピーカ３から出力される音声信号に基づいて良好な音質の音声を出力させることができる。
【００２４】
また、ビートノイズを発生させる可能性のあるクロック信号をロジック回路１２又は出力部１４ｂから出力させないので、発振子１１ａにて発生されてロジック回路１２へ送出されるクロック信号及び発振子１４ａにて発生されて出力部１４ｂへ送出されるクロック信号に対する不要輻射の対策が容易となる。
【００２５】
以下に、上述したようにセレクタ１５がロジック回路１２からのクロック信号をＤＳＰ１６へ送出する場合には出力部１４ｂからクロック信号を出力させず、セレクタ１５が出力部１４ｂからのクロック信号をＤＳＰ１６へ送出する場合にはロジック回路１２からクロック信号を出力させない本実施形態の構成と、ロジック回路１２からのクロック信号及び出力部１４ｂからのクロック信号をセレクタ１５が単に切り替えてＤＳＰ１６へ送出する構成とにおける効果の差異について示す。
【００２６】
図２はＢＤシアターシステム１から出力される音声信号をＦＦＴ(Fast Fourier Transform)分析したノイズ分布図である。なお、図２（ａ）には、ロジック回路１２からのクロック信号及び出力部１４ｂからのクロック信号をセレクタ１５が単に切り替えてＤＳＰ１６へ送出する構成でのＢＤシアターシステム１からスピーカ３へ送出される音声信号のノイズ分布を、図２（ｂ）には本実施形態の構成でのＢＤシアターシステム１からスピーカ３へ送出される音声信号のノイズ分布をそれぞれ示している。
【００２７】
図２（ａ）及び（ｂ）には、横軸に、ＢＤシアターシステム１からスピーカ３へ出力される音声信号の周波数「Ｈｚ」を、縦軸に、ＢＤシアターシステム１からスピーカ３へ出力された音声信号をスペクトルアナライザによってＦＦＴ分析し、15.625Hzから12.5kHzまでの周波数帯域におけるノイズレベル（電圧比）「ｄＢＶ」をそれぞれ示している。なお、図２（ａ）中の矢符で示す箇所がビートノイズの発生箇所であり、図２（ａ）及び（ｂ）を比較することにより、図２（ａ）中の矢符で示す箇所に発生していたビートノイズが、図２（ｂ）に示すように、本実施形態では消滅していることが分かる。これは、良好な音質の音声信号がＢＤシアターシステム１からスピーカ３へ出力されていることを意味する。
【００２８】
なお、ＢＤドライブ１１及びロジック回路１２を、発振子１４ａ及び出力部１４ｂを有する内部発振回路１４から所定距離以上離れた位置に設けることにより、ＢＤドライブ１１の発振子１１ａによって発生されてロジック回路１２へ入力されたクロック信号が、発振子１４ａによって発生されて出力部１４ｂからセレクタ１５へ出力されたクロック信号に対して与える影響をより低減させることができ、良好な音質の音声を出力させることができる。具体的には、内部発振回路１４及びセレクタ１５間の距離の１０倍以上である５０ｍｍ以上の距離をＣＯＤＥＣ１３から隔てた位置にロジック回路１２を設けることが望ましく、この場合、ＢＤドライブ１１からロジック回路１２へ入力されてロジック回路１２からは出力されないクロック信号と、セレクタ１５を介して内部発振回路１４からＤＳＰ１６へ送出されるクロック信号とに基づくビートの発生をより抑制することができる。
【００２９】
以下に、上述した構成のＢＤシアターシステム１において、マイコン１０による制御処理についてフローチャートを参照しながら説明する。図３はマイコン１０による制御処理の手順を示すフローチャートである。なお、以下の処理は、マイコン１０のＲＯＭに予め格納してある制御プログラムに従ってマイコン１０のＣＰＵが実行する。
【００３０】
ＢＤシアターシステム１のユーザは、例えばテレビジョン装置に内蔵されたチューナによって受信した放送信号に基づく音声信号をスピーカ３で視聴したい場合、操作部を介してテレビジョン装置からの音声信号の再生の実行を指示する。また、ユーザは、ＢＤに記録してある音声信号をスピーカ３で再生させたい場合、操作部を介してＢＤに記録してある音声信号の再生の実行を指示する。
【００３１】
マイコン１０は、電源が投入されて通常動作を行なっている場合、操作部を介してＢＤに記録してある音声信号の再生実行が指示されているか否かを判断し（Ｓ１）、ＢＤからの再生実行が指示されていると判断した場合（Ｓ１：ＹＥＳ）、ロジック回路１２に制御信号０を入力する（Ｓ２）。これにより、ロジック回路１２は、ＢＤドライブ１１から入力されてくるクロック信号をセレクタ１５へ送出する。
【００３２】
また、マイコン１０は、ロジック回路１２とＤＳＰ１６とを接続するようにセレクタ１５を制御し（Ｓ３）、セレクタ１５は、ロジック回路１２から送出されたクロック信号をＤＳＰ１６へ送出する。マイコン１０は、発振子１４ａにて発生されたクロック信号の出力を停止し、クロック信号を出力させないように出力部１４ｂを制御し（Ｓ４）、ＢＤドライブ１１からＣＯＤＥＣ１３へ入力されてきた音声信号をＤＳＰ１６へ送出するようにＣＯＤＥＣ１３を制御する（Ｓ５）。これにより、ＤＳＰ１６は、セレクタ１５を介してロジック回路１２から入力されたクロック信号に従って、ＣＯＤＥＣ１３を介してＢＤドライブ１１から入力された音声信号に対して信号処理を実行する。
【００３３】
一方、ＢＤからの再生実行が指示されていないと判断した場合（Ｓ１：ＮＯ）、マイコン１０は、ロジック回路１２に制御信号１を入力する（Ｓ６）。これにより、ロジック回路１２は、ＢＤドライブ１１から入力されてくるクロック信号をセレクタ１５へ送出させない。マイコン１０は、内部発振回路１４とＤＳＰ１６とを接続するようにセレクタ１５を制御し（Ｓ７）、発振子１４ａにて発生されたクロック信号を出力させるように出力部１４ｂを制御する（Ｓ８）。これにより、セレクタ１５は、内部発振回路１４の出力部１４ｂから出力されたクロック信号をＤＳＰ１６へ送出する。
【００３４】
マイコン１０は、外部入力信号源２からＣＯＤＥＣ１３へ入力されてきた音声信号をＤＳＰ１６へ送出するようにＣＯＤＥＣ１３を制御する（Ｓ９）。これにより、ＤＳＰ１６は、セレクタ１５を介して内部発振回路１４から入力されたクロック信号に従って、ＣＯＤＥＣ１３を介して外部入力信号源２から入力された音声信号に対して信号処理を実行する。
【００３５】
上述した処理により、ＢＤドライブ１１の発振子１１ａによって発生されたクロック信号がロジック回路１２を介してセレクタ１５へ入力される場合には、発振子１４ａによって発生されたクロック信号が内部発振回路１４から出力されず、逆に、発振子１４ａによって発生されたクロック信号が出力部１４ｂを介してセレクタ１５へ入力される場合には、ＢＤドライブ１１の発振子１１ａによって発生されたクロック信号がロジック回路１２から出力されないので、これらの２つのクロック信号が近接することによるビートの発生を防止することができる。
【００３６】
上述した実施形態では、本発明に係る電気機器をＢＤシアターシステム１に適用した例について説明したが、複数種類の周波数のクロック信号を切り替えて使用する電気機器であれば、ＢＤシアターシステムに限られない。また、本実施形態では、ＢＤに対する記録再生処理のみを実行する構成のＢＤシアターシステム１を例に説明したが、ＢＤシアターシステム１がＣＤドライバ、ＤＶＤドライバ等を備え、ＣＤ、ＤＶＤに対する記録再生処理も行なう構成であってもよい。
【００３７】
また、本実施形態のＢＤシアターシステム１は、ロジック回路１２から出力されるクロック信号と出力部１４ｂから出力されるクロック信号とを切り替えるセレクタ１５をＣＯＤＥＣ１３に内蔵する構成であったが、ＣＯＤＥＣ１３の外部にセレクタ１５を設ける構成であってもよく、また、他の回路に内蔵される構成であってもよい。
【００３８】
更に、上述した実施形態では、セレクタ１５がロジック回路１２から出力されるクロック信号をＤＳＰ１６へ送出する場合、出力部１４ｂからのクロック信号の出力を停止させ、セレクタ１５が出力部１４ｂから出力されるクロック信号をＤＳＰ１６へ送出する場合、ロジック回路１２からのクロック信号の出力を停止させる構成であった。しかし、セレクタ１５がロジック回路１２から出力されるクロック信号をＤＳＰ１６へ送出する場合にのみ、出力部１４ｂからのクロック信号の出力を停止させる構成であってもよい。また、セレクタ１５が出力部１４ｂから出力されるクロック信号をＤＳＰ１６へ送出する場合にのみ、ロジック回路１２からのクロック信号の出力を停止させる構成であってもよい。
【図面の簡単な説明】
【００３９】
【図１】本実施形態に係るＢＤシアターシステムの構成例を示すブロック図である。
【図２】ＢＤシアターシステムから出力される音声信号をＦＦＴ分析したノイズ分布図である。
【図３】マイコンによる制御処理の手順を示すフローチャートである。
【符号の説明】
【００４０】
１  ＢＤシアターシステム（電気機器）
１０  マイコン（制御部）
１１ａ  発振子（クロック発生回路）
１２  ロジック回路（出力部）
１４ａ  発振子（クロック発生回路）
１４ｂ  出力部
１５  セレクタ（切替部）
【図１】
2009055472.tif 000003
【図２】
2009055472.tif 000004
【図３】
2009055472.tif 000005